(57)【要約】【課題】  冷却効果が低下することを抑制しながらも、コスト面において有利な帽子を提供する点にある。【解決手段】  クラウン部を構成する生地を通気性を有する材料から構成し、生地を繋ぎ合わせる帯板状部材を吸水性を有する材料から構成し、クラウン部を構成する生地のうちの前頭部に接触する生地の裏面に、シート状の第１吸収体７を設け、帯板状部材の生地側表面に、シート状の第２吸収体８を、第１吸収体７との水分の受け渡しが可能な状態で設け、ビン皮部の生地側表面にシート状の第３吸収体９を第１吸収体７及び帯板状部材との水分の受け渡しが可能な状態で設けた。【選択図】        図３
2005042258.tif 000002
【特許請求の範囲】
【請求項１】
複数枚の生地を帯板状部材を介して繋ぎ合わせて構成されたクラウン部と、このクラウン部の底部周縁の特定箇所又は底部周縁の全域に備えさせた鍔部と、前記クラウン部の底部内面側に備えるビン皮部とからなる帽子であって、前記クラウン部を構成する生地を通気性を有する材料から構成し、前記帯板状部材を吸水性を有する材料から構成し、前記クラウン部を構成する生地のうちの前頭部に接触する生地の裏面に、吸水性を有する材料からなるシート状の第１吸収体を設け、前記帯板状部材の生地側表面に、該帯板状部材の横幅よりも狭い横幅に設定された吸水性を有する材料からなるシート状の第２吸収体を、前記第１吸収体との水分の受け渡しが可能な状態で設け、前記ビン皮部の生地側表面に吸水性を有する材料からなるシート状の第３吸収体を前記第１吸収体及び帯板状部材との水分の受け渡しが可能な状態で設けたことを特徴とする帽子。
【請求項２】
前記鍔部の表面側を構成する生地を通気性を有する材料から構成し、前記鍔部の表面側生地と裏面側生地との間に、吸水性を有する材料からなるシート状の第４吸収体を前記第１吸収体との水分の受け渡しが可能な状態で設けてなる請求項１記載の帽子。
【請求項３】
前記クラウン部が、６枚の通気性を有する生地からなり、各生地が、表面側に多数の孔を有する表面側生地と、この表面側生地に形成の孔よりも小さな孔を多数備えた裏面側生地との二重構造に構成してなる請求項１又は２記載の帽子。
【請求項４】
前記６枚の生地が、ほぼ同一の形状でかつほぼ同一の大きさのものからなり、それら生地の繋ぎ目端部が平面視において３つの直線が頭頂部で交差する状態に配置され、それら３つの直線上に３本の帯板状部材を配置してなる請求項３記載の帽子。
【請求項５】
前記クラウン部の前端部分に前記鍔部が取り付けられた野球帽タイプからなる請求項１〜４のいずれかに記載の帽子。
【請求項６】
複数枚の生地を帯板状部材を介して繋ぎ合わせて構成されたクラウン部と、このクラウン部の底部周縁の全域に備えさせた鍔部と、前記クラウン部の底部内面側に備えるビン皮部とからなる帽子であって、前記クラウン部を構成する生地を通気性を有する材料から構成し、前記帯板状部材を吸水性を有する材料から構成し、前記クラウン部を構成する生地のうちの上辺部を構成する生地の裏面に、吸水性を有する材料からなるシート状の第１吸収体を設け、前記帯板状部材の生地側表面に、該帯板状部材の横幅よりも狭い横幅に設定された吸水性を有する材料からなるシート状の第２吸収体を、前記第１吸収体との水分の受け渡しが可能な状態で設け、前記ビン皮部の生地側表面に吸水性を有する材料からなるシート状の第３吸収体を前記第１吸収体及び帯板状部材との水分の受け渡しが可能な状態で設けたことを特徴とする帽子。
【請求項７】
前記帯板状部材と前記ビン皮部とが同一素材からなり、その素材が吸水性と速乾性を有するものからなっている請求項１〜６のいずれかに記載の帽子。
【発明の詳細な説明】
【技術分野】
【０００１】
本発明は、屋内外に限らず暑い環境において快適に過ごすことができる帽子に関するものである。ここで言う帽子は、ヘルメットなどの内側に着用するインナーキャップも含むものとする。
【背景技術】
【０００２】
上記帽子としては、例えば水の中に帽子を漬けて所定の水分を吸収させることができるように、帽子を構成するメッシュ状の表地と防水性裏地との間に吸水性を有する材料からなる不織布を備えさせて３層構造の帽子を構成したものが既に提案されている。このように構成された帽子に水分を含ませて頭に被ると、熱気で水分が蒸発し、そのときの蒸発熱が奪われることにより帽子に触れる頭部を冷却するようにしている（例えば、特許文献１参照）。
【特許文献１】登録実用新案第３０１０１５６号公報（図１参照）
【発明の開示】
【発明が解決しようとする課題】
【０００３】
上記特許文献１では、帽子全体をメッシュ状の表地と防水性裏地とこれら表地と裏地の間に位置する不織布の３層構造としているため、効率よく冷却効果を発揮させることができる利点があるが、特に吸水性の不織布の値段が高いため、帽子が非常に高価なものになっていた。
又、多数の繊維を絡み合わせた不定形な不織布を帽子全域に均一よく配置させることが難しいだけでなく、その作業に多くの時間がかかる不都合もあった。又、このような不定形な不織布を備えた帽子では、どの箇所においてもほぼ同一の冷却効果を発揮させることが難しく、冷却効果のバラツキが大きい場合があった。
【０００４】
本発明が前述の状況に鑑み、解決しようとするところは、冷却効果が低下することを抑制しながらも、コスト面において有利な帽子を提供する点にある。
【課題を解決するための手段】
【０００５】
本発明は、前述の課題解決のために、複数枚の生地を帯板状部材を介して繋ぎ合わせて構成されたクラウン部と、このクラウン部の底部周縁の特定箇所又は底部周縁の全域に備えさせた鍔部と、前記クラウン部の底部内面側に備えるビン皮部とからなる帽子であって、前記クラウン部を構成する生地を通気性を有する材料から構成し、前記帯板状部材を吸水性を有する材料から構成し、前記クラウン部を構成する生地のうちの前頭部に接触する生地の裏面に、吸水性を有する材料からなるシート状の第１吸収体を設け、前記帯板状部材の生地側表面に、該帯板状部材の横幅よりも狭い横幅に設定された吸水性を有する材料からなるシート状の第２吸収体を、前記第１吸収体との水分の受け渡しが可能な状態で設け、前記ビン皮部の生地側表面に吸水性を有する材料からなるシート状の第３吸収体を前記第１吸収体及び帯板状部材との水分の受け渡しが可能な状態で設けて、帽子を構成した。
又、複数枚の生地を帯板状部材を介して繋ぎ合わせて構成されたクラウン部と、このクラウン部の底部周縁の全域に備えさせた鍔部と、前記クラウン部の底部内面側に備えるビン皮部とからなる帽子であって、前記クラウン部を構成する生地を通気性を有する材料から構成し、前記帯板状部材を吸水性を有する材料から構成し、前記クラウン部を構成する生地のうちの上辺部を構成する生地の裏面に、吸水性を有する材料からなるシート状の第１吸収体を設け、前記帯板状部材の生地側表面に、該帯板状部材の横幅よりも狭い横幅に設定された吸水性を有する材料からなるシート状の第２吸収体を、前記第１吸収体との水分の受け渡しが可能な状態で設け、前記ビン皮部の生地側表面に吸水性を有する材料からなるシート状の第３吸収体を前記第１吸収体及び帯板状部材との水分の受け渡しが可能な状態で設けて、ハットタイプの帽子を構成してもよい。
又、前記鍔部の表面側を構成する生地を通気性を有する材料から構成し、前記鍔部の表面側生地と裏面側生地との間に、吸水性を有する材料からなるシート状の第４吸収体を前記第１吸収体との水分の受け渡しが可能な状態で設けることによって、吸水量を増量することができるようにしてもよい。
又、前記クラウン部が、６枚の通気性を有する生地からなり、各生地が、表面側に多数の孔を有する表面側生地と、この表面側生地に形成の孔よりも小さな孔を多数備えた裏面側生地との二重構造に構成してもよい。
又、前記６枚の生地が、ほぼ同一の形状でかつほぼ同一の大きさのものからなり、それら生地の繋ぎ目端部が平面視において３つの直線が頭頂部で交差する状態に配置され、それら３つの直線上に３本の帯板状部材を配置してもよい。
又、前記クラウン部の前端部分に前記鍔部が取り付けられた野球帽タイプから構成してもよい。
又、前記帯板状部材と前記ビン皮部とが同一素材からなり、その素材が吸水性と速乾性を有するものから構成してもよい。
【発明の効果】
【０００６】
クラウン部を構成する生地を通気性を有する材料から構成し、帯板状部材を吸水性を有する材料から構成し、前記クラウン部を構成する生地のうちの前頭部に接触する生地の裏面又はハットタイプの場合には上辺部を構成する生地の裏面に、吸水性を有する材料からなるシート状の第１吸収体を配置し、帯板状部材の生地側表面に、帯板状部材の横幅よりも狭い横幅に設定された吸水性を有する材料からなるシート状の第２吸収体を、第１吸収体との水分の受け渡しが可能な状態で配置し、ビン皮部の生地側表面に吸水性を有する材料からなるシート状の第３吸収体を前記第１吸収体及び帯板状部材との水分の受け渡しが可能な状態で配置して、帽子を構成することによって、前頭部に接触する生地の裏面に配置された第１吸収体と帯板状部材の生地側表面に配置された第２吸収体とビン皮部の生地側表面に配置された第３吸収体とにより水分を吸収し、吸収された水分をクラウン部を構成する通気性を有する生地を通して効率よく蒸発させることができながらも、それら３つの吸収体に常に水分が行き渡るようにそれら３つの吸収体間で水分の受け渡しを行って直ちに水分の蒸発を行わせることが可能になり、その蒸発熱が奪われることによりクラウン部の前頭部に相当する部分又はハットタイプの場合には上辺部に相当する部分及び生地を繋ぎ合わせる帯板状部材を介して頭部を効率よく冷却することができるから、帽子全体を表地と裏地とで不織布を覆った３層構造のものとほぼ同様の冷却効果を得ることができ、コスト面において有利な帽子を提供することができる。しかも、全ての吸収体がシート状になっているため、どの部位においても均一な厚みにすることができるだけでなく、加工面において有利になる。更には、シート状に構成された３つの吸収体のみを縫着するだけで帽子を構成することができ、製造面においても有利になる。
【０００７】
又、鍔部の表面側を構成する生地を通気性を有する材料から構成し、鍔部の表面側生地と裏面側生地との間に、吸水性を有する材料からなるシート状の第４吸収体を第１吸収体との水分の受け渡しが可能な状態で設けることによって、吸水量を増量することで更に冷却効果を高めることができる。この第４吸収体も同様にシート状に構成されていることから、どの部位においても均一な厚みにすることができるだけでなく、４つの吸収体のみを縫着するだけで帽子を構成することができ、加工面（製造面）において有利になる。
【０００８】
又、クラウン部が、６枚の通気性を有する生地からなり、各生地が、表面側に多数の孔を有する表面側生地と、この表面側生地に形成の孔よりも小さな孔を多数備えた裏面側生地との二重構造に構成することによって、帽子の外側への水分の蒸発を促進することができ、冷却効率のアップを図ることができる帽子にすることができる。
【０００９】
又、６枚の生地が、ほぼ同一の形状でかつほぼ同一の大きさのものからなり、それら生地の繋ぎ目端部が平面視において３つの直線が頭頂部で交差する状態に配置され、それら３つの直線上に３本の帯板状部材を配置するだけで、生地を繋ぐための帯板状部材を６本配置するものに比べて、作業性の向上を図ることができる。
【００１０】
又、前記帯板状部材と前記ビン皮部とが同一素材からなり、その素材が吸水性と速乾性を有するものから構成することによって、汗などを直ちに吸水して直ちに乾燥させることができ、不快になることがなく、しかも同一素材とすることで素材管理がし易い利点もある。
【発明を実施するための最良の形態】
【００１１】
図１及び図２に、頭部を覆い被せるほぼ半球状のクラウン部１と、このクラウン部１の底部周縁の特定箇所（図では周縁のほぼ１／３を占める箇所であるが、）、つまり前端部分の底部に一端が縫着により連結された鍔部２と、前記クラウン部１の底部内面側に備えるビン皮部３とからなる野球帽タイプの帽子が示されている。
【００１２】
前記クラウン部１は、通気性を有するほぼ三角形状の生地４の６枚（ほぼ同一形状でほぼ同一の大きさのもの）を、それら生地４の繋ぎ目端部が平面視において３つの直線が頭頂部で交差する状態で周方向に沿って配置し、それら３つの直線状に３本の帯板状部材５をクラウン部１の内面側から振り分けて配置し、縫着により繋ぎ合わせてなっている。前記帯板状部材５は、吸水性を有すると共に速乾性を有する素材、具体的には後述するビン皮部３と同一素材で構成することにより、素材管理がし易い利点があるが、別々の素材で構成することもできる。
前記生地４は、図４に示すように、表面側に多数の孔４ａを有する表面側生地４Ａと、裏面側に表面側生地４Ａの孔４ａよりも小さな孔４ｂを有する裏面側生地４Ｂとの二重孔構造になっており、これら生地４Ａ，４Ｂ間に水分を蒸散させるために必要となる空間層４Ｃが一体化されている（図４では孔の形状を分かり易くするために分解図にしている）。前記生地４は、吸水性を有すると共に速乾性を有する素材、例えばポリエステル、ポリアミド、ポリプロピレン、ポリエチレンなどの合成樹脂を用いて繊維状にしてなり、頭部より発生する汗を裏面側生地４Ｂから空間層４Ｃ側へ移動させ、その移動してきた汗を空間層４Ｃ内にて拡散させて表面側生地４Ａの孔４ａを通して外部に蒸発させることができるようにしている。
【００１３】
図２、図３及び図５（ａ），（ｂ）に示すように、前記６枚の生地４のうちの前頭部が接触する生地４、つまり鍔部２の直上方に位置する２枚の生地４の裏面に、布などからなる生地（コスト面において高価になるが、吸水性を有する素材で構成してもよい）６が裏面に一体化された吸水性を有する材料からなるシート状の第１吸収体７を縫着（接着又は溶着などでもよい）により取り付けている。又、前記帯板状部材５の生地側表面に、帯板状部材５の横幅よりも狭い横幅に設定された吸水性を有する材料からなるシート状の第２吸収体８を前記第１吸収体７との水分の受け渡しが可能な状態で縫着（接着又は溶着などでもよい）により取り付けている。又、ビン皮部３の生地側表面に吸水性を有する材料からなるシート状の第３吸収体９を第１吸収体７及び帯板状部材５との水分の受け渡しが可能な状態で（図５（ａ）では第３吸収体９が第１吸収体７に対して接触していない状態を示しているが、帽子を頭に被ることにより両者が接触状態になる）縫着（接着又は溶着などでもよい）により取り付けている。又、前記鍔部２の表面側を構成する生地１０を前記クラウン部１を構成する生地４と同様に通気性を有する材料から構成し、その鍔部２の表面側生地１０と裏面側生地１１との間に、吸水性を有する材料からなるシート状の第４吸収体１２を表面側生地１０を介して第１吸収体７との水分の受け渡しが可能な状態で縫着（接着又は溶着などでもよい）により設けている。尚、前記裏面側生地１１と第４吸収体１２との間には、鍔部２の形を保持するための保形部材１３を配置している。
従って、水の中に帽子を漬けることにより、４つの吸収体７，８，９，１２に十分に水分を含ませてから、帽子を振って余分な水分を除いた後、帽子を被ることにより、吸収体に含ませた水分を生地４を通して外部に蒸発させることができる。この蒸発熱が奪われることによって帽子が冷却されるようになっている。そして、図３に示すように、４つの吸収体７，８，９，１２が水分を受け渡し可能に連結されていることから、吸収体７，８，９，１２にて含ませた水分を一部の吸収体が乾燥した状態になることがなく、全ての吸収体７，８，９，１２へ常に行き渡らせることができ、水分の蒸発を直ちに行わせることができる。
【００１４】
前記吸収体７，８，９，１２としては、ポリアクリル酸ナトリウム塩を主成分とするポリマーを直接紡糸し、繊維形状化させた高吸水、高吸湿繊維であるベルオアシス（登録商標、鐘紡株式会社製）を用いているが、吸水性を有するものであれば、他のものであってもよい。
【００１５】
前記ビン皮部３及び帯板状部材５としては、吸水性と速乾性を有する素材からなり、具体的には、ポリエチレンテレフタレート、ポリブチレンテレフタレート、ポリアミド、ポリプロピレン、ポリエチレンなどからなる繊維を異形化して高異形断面繊維であるフィールドセンサー（登録商標、東レ株式会社製）のものを用いているが、吸水性と速乾性を有するものであれば、他のものであってもよい。
【００１６】
図２及び図３に示す１４は、クラウン部１の底部外周縁の寸法を調節するための長さ調節具であり、１５は３本の帯板状部材５を頭頂部で止めるためのボタン部である。又、図２において、クラウン部１の後方下部を切り欠き、その切り欠いた端部分を前記帯板状部材５にて覆って処理しており、この帯板状部材５にも吸収体８Ａを備えさせることにより、図３に示すように、２つの吸収体８，９とを繋ぐことができ、更に水分を受け渡して循環させやすくなり、水分蒸発を更に促進させることができる利点があるが、吸収体８Ａを省略して実施することもできる。
【００１７】
図６及び図７に、ハットタイプの帽子が示されている。この帽子は、ほぼ水平で円形の上辺部１Ａと、この上辺部１Ａの外周縁から下方に延びる２枚の側辺部１Ｂ，１Ｃとを備えた通気性を有するクラウン部１と、クラウン部１の底部周縁の全域に渡って縫着された通気性を有する鍔部２と、クラウン部１の底部内面側に備えたビン皮部１８とからなっている。前記クラウン部１及び鍔部２は、図４で示した構成であってもよいし、他の構成であってもよい。そして、前記上辺部１Ａの裏面と、裏面側に縫着される裏生地１６との間に、前記吸収体と同一素材である円形でシート状になった第１吸収体であるベルオアシス（登録商標、鐘紡株式会社製）２０を配置し、前記帯板状部材５と同一素材でなる帯板状部材１７をリング状にして前記上辺部１Ａの外周縁と側辺部１Ｂ，１Ｃの上端縁とを繋ぎ合わせるために両者間に渡る状態で縫着し、前記２枚の側辺部１Ｂ，１Ｃの周方向両端部を連結すると共に前記帯板状部材５と同一素材でなる上下方向に沿う姿勢の帯板状部材１９を介して縫着により繋ぎ合わせている。前記ビン皮部１８及び帯板状部材１７，１９に、フィールドセンサー（登録商標、東レ株式会社製）のものを用いているが、吸水性と速乾性を有するものであれば、他のものであってもよい。コスト面において不利になるが、前記側辺部１Ｂ，１Ｃの一部又は鍔部２の一部又はそれら両方の一部に吸収体を設けて実施することもできる。
【００１８】
図７に示すように、前記帯板状部材１７，１９とクラウン部１との間のそれぞれに、その帯板状部材の幅よりも小さな幅を有するシート状の第２吸収体である前記ベルオアシス（登録商標、鐘紡株式会社製）２１を前記第１吸収体２０との水分の受け渡しが可能な状態で備えている。尚、前記環状の帯板状部材１７の吸収体２１を設けた方がその分水分吸収の点で有利になるが、その吸収体２１を省略し、第１吸収体２０の外周縁に帯板状部材１９，１９の吸収体２１，２１の上端を水分の受け渡しが可能な状態に設けて実施することもできる。又、型くずれを抑えるための図示していない補強材を前記帯板状部材１９，１９とクラウン部１の間にそれぞれ配設している。又、ビン皮部１８の生地側表面に吸水性を有する材料からなるシート状の第３吸収体２２を帯板状部材１７、１９を介して第１吸収体２０との水分の受け渡しが可能な状態で設けている。従って、３種類の吸収体２２、２１、２０に吸収した水分は互いに受け渡し可能になっていることから、水分が３種類の吸収体２２、２１、２０へ循環させやすく、水分蒸発を迅速に行うことができるようになっている。
【産業上の利用可能性】
【００１９】
本発明に係る帽子は、野球帽などのキャップに適応することができる他、クラウン部の底部周縁の全域に渡って鍔部を備えさせたハットにも適応することができる。又、鍔部２の吸収体１２を省略して実施することもできる。この場合には、冷却効果は少し低下することになるが、コスト面において有利になる。又、帯板状部材５を、６本のものから構成して実施することもできる。
【図面の簡単な説明】
【００２０】
【図１】帽子の斜視図である。
【図２】帽子の底面図である。
【図３】吸収体のみで構成した帽子の斜視図である。
【図４】生地の分解斜視図である。
【図５】（ａ）は帽子の鍔部と前頭部付近を上下方向から切断した要部の断面図、（ｂ）はクラウン部の前側を水平方向から切断した断面図である。
【図６】他の帽子の斜視図である。
【図７】図６で示した帽子の底面図である。
【符号の説明】
【００２１】
１  クラウン部
２  鍔部
３  ビン皮部
４Ｃ  空間層
４ａ  孔
４ｂ  孔
４  生地
４Ａ  表面側生地
４Ｂ  裏面側生地
５  帯板状部材
６  生地
７，８，８Ａ，９，１２  吸収体
１０  表面側生地
１１  裏面側生地
１３  保形部材
１４  長さ調節具
１５  ボタン部
１６  裏生地
１７，１９  帯板状部材
１８  ビン皮部
２０，２１，２２  吸収体
【図１】
2005042258.tif 000003
【図２】
2005042258.tif 000004
【図３】
2005042258.tif 000005
【図４】
2005042258.tif 000006
【図５】
2005042258.tif 000007
【図６】
2005042258.tif 000008
【図７】
2005042258.tif 000009